(57)【要約】【課題】ボルト・ナットやビス等の多数の屋根材固定部材を用いることなく組み立てることができる簡易屋根構造物を提供する。【解決手段】簡易屋根構造物を、正面側カバー材が母屋の正面部に取り付けられるカバー部と該カバー部の上部より背面側に延びる延設部とを備え、該延設部と母屋の上面部との間に屋根材の正面側端部が挿入されて保持されるようになされているため、多数のボルト・ナットやビス等を、直接屋根材に螺入して固定する必要がないため、簡易屋根構造物を組み立てる時間を大幅に短縮できると共に、ボルト孔やビス孔を屋根材に穿設する必要がないため、孔部端面から発生しやすい屋根材の腐食を防止することができる。【選択図】        図３
2011026873.tif 000002
【特許請求の範囲】
【請求項１】
地表に立設された複数の支柱と、この支柱の上端に取り付られた主梁と、この主梁に取着された母屋と、この母屋間に架け渡された屋根材と、この屋根材の正面側端部を覆う正面側カバー材を備えた簡易屋根構造物であって、正面側カバー材は母屋の正面部に取り付けられるカバー部と該カバー部の上部より背面側に延びる延設部とを備え、該延設部と母屋の上面部との間に屋根材の正面側端部が挿入されていることを特徴とする簡易屋根構造物。
【請求項２】
前記正面側カバー材のカバー部により、屋根材の正面側端面と母屋の正面部とが覆われていることを特徴とする請求項１に記載の簡易屋根構造物。
【発明の詳細な説明】
【技術分野】
【０００１】
本発明は、自転車置場、カーポート、バス停留所、渡り廊下、地下道の入口、公園等の休憩所などに用いられる組立式の簡易屋根構造物に関するものである。
【背景技術】
【０００２】
従来、カーポート、バス停、シェルターなど簡易屋根構造物の屋根材取付け構造については、例えば特許文献１に開示されているように、支柱の上部が曲折されて水平方向にやや傾斜をつけた梁材に架設固定される母屋材、あるいは支柱の上部に水平方向にやや傾斜をつけて連結された梁材の上に架設固定される母屋材、のいずれかの方式の母屋材の上に折板屋根材が載置されて固定される構造が一般的であり、この母屋材の端部が前記支柱の上部が曲折されて水平方向にやや傾斜を伴い張り出した部分（あるいは、支柱の上部に連結された梁材の部分）において連続して架設される母屋材の継ぎ目部分は、ボルトや溶接により支柱の上部の梁材に固定された接続片に対し母屋材端部がボルト・ナットで固定されている。さらに、母屋材に対して折板屋根材は、その端部の折り曲げ溝どおしが重ね合わせられて面的に接続されており、折板屋根材の母屋材への固定手段は一般に折板屋根材の端部の折り曲げ形状に適応した取付金具が、母屋材上に固定されて、それらに折板屋根材の曲げ形状が嵌着・載置固定されて屋根材の固定がなされている。
【先行技術文献】
【特許文献】
【０００３】
【特許文献１】特開平９−１２５６１３号公報
【発明の概要】
【発明が解決しようとする課題】
【０００４】
しかしながら、かかる従来の簡易屋根構造物の屋根材取付け構造においては、まず支柱上部が曲折されて張り出された梁材の部分や、支柱上部に連結された梁材の部分にボルトや溶接により固定された接続片を現場で取り付ける際に高所作業で不安定なために煩雑になり易く、これに母屋材の端部をボルト・ナットで固定する場合にも支柱上部や梁材が円形状の場合には特に母屋材が確実にボルト・ナットによる固定が済むまでしっかり支えておかなければならないという作業性の悪さがあった。また、ボルト・ナットを用いることから、屋根材に孔をあけざるを得ないため、孔の周りから腐食が発生してしまっていた。さらには、高所作業工程が多いうえ、取付金具の加工孔と屋根材に加工された孔との正確な位置に合わせが必要という煩雑な作業を伴い、加えて多数のボルト・ナットを締め付ける作業があるため、多くの作業時間を要してしまい、全体として作業性が悪く雑な仕上げになり易いという欠点をもったものであった。
【０００５】
本発明は、前記の如き課題を解消し、ボルト・ナットやビス等の多数の屋根材固定部材を用いることなく組み立てることができる簡易屋根構造物を提供せんとするものである。
【課題を解決するための手段】
【０００６】
上記目的を達成するために、本発明は次のような構成としている。
すなわち本発明に係る簡易屋根構造物は、地表に立設された複数の支柱と、この支柱の上端に取付られた主梁と、この主梁に取着された母屋と、この母屋間に架け渡された屋根材と、この屋根材の正面側端部を覆う正面側カバー材を備えた簡易屋根構造物であって、正面側カバー材は母屋の正面部に取り付けられるカバー部と該カバー部の上部より背面側に延びる延設部とを備え、該延設部と母屋の上面部との間に屋根材の正面側端部が挿入されていることを特徴とするものである。
【０００７】
また、本発明に係る簡易屋根構造物は、前記正面側カバー材のカバー部により、屋根材の正面側端面と母屋の正面部とが覆われていることを特徴とするものである。
【発明の効果】
【０００８】
本発明によれば、簡易屋根構造物を、正面側カバー材が母屋の正面部に取り付けられるカバー部と該カバー部の上部より背面側に延びる延設部とを備え、該延設部と母屋の上面部との間に屋根材の正面側端部が挿入されて保持されるようになされているため、多数のボルト・ナットやビス等を、直接屋根材に螺入して固定する必要がないため、簡易屋根構造物を組み立てる時間を大幅に短縮できると共に、ボルト孔やビス孔を屋根材に穿設する必要がないため、孔部端面から発生しやすい屋根材の腐食を防止することができる。
【０００９】
また、本発明によれば、簡易屋根構造物は、正面側カバー材のカバー部により、屋根材の正面側端面と母屋の正面部とを覆うようになされているため、正面から屋根材の正面側端面及び屋根材と母屋との繋ぎ目が見えず、すっきりとした美観を得ることができる。
【図面の簡単な説明】
【００１０】
【図１】本発明に係る簡易屋根構造物の実施の一形態を示す、（ａ）は正面図、（ｂ）は一部切欠の平面図、（ｃ）は右側面図である。
【図２】本発明に係る簡易屋根構造物を構成する屋根材の部分斜視図である。
【図３】図１（ｃ）に示す簡易屋根構造物の、（ａ）は正面側端部の要部拡大図、（ｂ）は背面側端部の要部拡大図である。
【発明を実施するための形態】
【００１１】
次に、本発明を実施するための最良の形態について図面を参照し、具体的に説明する。
Ｐは簡易屋根構造物であって、１は下部が地中に埋設されて、左右方向に適宜間隔をおいて地表に立設された３本の支柱、２は各々の支柱１の上端に後述する保持具６を介して前後方向に取け付けられた主梁、３は３本の主梁２の前端、後端及び中央に左右方向に架け渡して取り付けられた３本の母屋、４は３本の母屋３間に架け渡された屋根材であり、５は母屋３の正面部３１と複数の屋根材４の正面側端部４１とを覆う正面側カバー材である。
【００１２】
支柱１は円形の鋼管を適宜長さに切断して作製され、その上端部１１には、後述する保持具６を介して主梁２を取付けるためのボルト孔が側面１２を貫通して穿設され、側壁１２の適宜箇所に縦樋７を取り付けるための取付具７１が取付られている。支柱１の材質は前記した鋼管に限るものではなく、アルミ合金押出型材等であってもよいが、強度的に安定でコストの安い鋼管が好適に用いられる。
【００１３】
主梁２は円形の鋼管を適宜長さに切断して作製され、主梁２の基端部２１を保持すると共に支柱１の上端部１１をも保持する保持具６を介して支柱１上端に取り付けるためのボルト孔が側壁２２を貫通して穿設されている。そして、主梁２の先端部２３上面と基端部２１上面と中央部２４上面とには、それぞれ母屋３を取着するためのＬ字型受け金具Ｋ１が取り付けられている。尚、主梁２の材質は前記した鋼管に限るものではなく、アルミ合金押出型材などでもよいが、強度的に安定でコストの安い鋼管が好適に用いられる。
【００１４】
母屋３は矩形の鋼管を適宜長さに切断して作製され、その相対する一対の正面部３１と背面部３２には横方向に通孔が穿設され、その通孔とＬ字型受け金具Ｋ１とにボルトを挿通して締着され、主梁２の上下方向に穿設された取付孔とＬ字型受け具Ｋ１とに別のボルトを挿通して締着され、母屋３と主梁２とが固定されている。勿論、母屋３の材質は前記した鋼管に限るものではなく、アルミ合金押出型材などでもよいが、強度的に安定でコストの安い鋼管を用いるのが好ましい。
【００１５】
母屋３、３間に架け渡された屋根材４は、短辺の両端に大きな突条４２を２個長辺方向に形成し、また短辺の中央に等間隔に小さな突条４２を２個長辺方向に形成した屋根材本体４３を、隣接する屋根材本体４３の端部に形成した大きな突条４２同士を重ね合せて、複数の屋根材本体４３から形成されている。これは平板金属板に比べ強度を向上させることができると共に、屋根材４を順次その端部に形成した大きな突条４２同士を重ね合わせて施工できるので、簡易屋根構造物の幅違いに対応し易い構造となされている。
【００１６】
そして、正面カバー材５は、母屋３の正面部３１に取り付けられるカバー部５１と該カバー部５１の上部より背面側に延びる延設部５２とを備え、該延設部５２と母屋３の上面部３３との間に屋根材４の正面側端部４１が挿入・保持されて、簡易屋根構造物Ｐは形成されている。この簡易屋根構造物Ｐにおいては、多数のボルト・ナットやビス等を、直接屋根材本体４３に螺入して固定する必要がないため、簡易屋根構造物Ｐを組み立てる時間を大幅に短縮できると共に、ボルト孔やビス孔を屋根材本体４３に穿設する必要がないため、孔部端面から発生しやすい屋根材本体４３の腐食を防止することができ、簡易屋根構造物Ｐを長期に亘り使用することができ、好ましい。
【００１７】
更に、前記正面カバー材５のカバー部５１により、屋根材４の正面側端面４４と母屋３の正面部３１とが覆われており、正面から屋根材３の正面側端面４４及び屋根材４と母屋３との繋ぎ目が見えず、簡易屋根構造物Ｐの美観を向上させるようになされている。
【００１８】
また、主梁２の基端部２１側の屋根材４の端部には、屋根材４から滴り落ちる雨水を受ける横樋８が基端部２１側の母屋３に取り付けられている。横樋８は雨水を排水するための溝状の導水部８１と導水部８１の上端から延設された横樋延設部８２を備えており、主梁２の後端に配置されている母屋３の上面部３３に載置されている屋根材４の背面側端部４５を上方から横樋延設部８２が覆うようになされている。
【００１９】
保持具６は、主梁２を受ける部分と支柱１に当接する部分を供えた左右勝手違いの２個の板材からなり、その２個の板材をもって支柱１と主梁２とを左右から挟み、保持具６の側面をボルト・ナットで挟着することにより、支柱１の上端部１１に主梁２の基端部２１を固定している。従って、保持具６の内面は、それぞれ支柱１と主梁２の外形である円柱形に当接するように半円形状に形成されると共に、側面視で逆Ｌ字型に形成されている。また、保持具６の強度を向上させるため、保持具６の支柱１を保持する部分から主梁２を保持する部分にわたり、平担状の補強板部６１が、支柱１及び主梁２とを左右から挟んだ際に、補強板部６１が当接するように一体的に設けられている。
【００２０】
当該簡易屋根構造物Ｐの組み立て方について説明する。
まず、３本の支柱１を立設させ、それぞれに主梁２を保持具６を用いて固定して、次いで母屋３を３本の主梁２の前端、後端及び中央に左右方向に架け渡して取り付け、後端の母屋３に横樋８を取り付ける。その後、屋根材４を１枚母屋３の端部に配置し横樋延設部８２に覆われる位置まで押し込み、次の屋根材４の端部の突条４２を上記屋根材４１の端部の突条４２に重ね合わせて、横樋延設部８２に覆われる位置まで押し込む作業を繰り返し行い、屋根材４を全て取付ける。その後、屋根材４の正面側端部４１を覆い隠すように正面カバー材５を主梁２の前端の母屋３に取り付けて、簡易屋根構造物Ｐの組み立てが完了する。
【００２１】
本形態において、屋根材本体４３は前後方向に平坦に形成されているが、これに限定されるものではなく、屋根材本体４３を前後方向に円弧状に湾曲させ、それと略同じ曲率で主梁２を湾曲させて形成し、簡易屋根構造物Ｐを構成しても良い。かようにすれば、前後方向に湾曲しているため、屋根材４の強度を向上させることができる。
【産業上の利用可能性】
【００２２】
本発明によれば、正面側カバー材が母屋の正面部に取り付けられるカバー部と該カバー部の上部より背面側に延びる延設部とを備え、該延設部と母屋の上面部との間に屋根材の正面側端部が挿入されて保持されるようになされているため、多数のボルト・ナットやビス等を、直接屋根材に螺入して固定する必要がないため、簡易屋根構造物を組み立てる時間を大幅に短縮できると共に、ボルト孔やビス孔を屋根材に穿設する必要がないため、孔部端面から発生しやすい屋根材の腐食を防止することができる簡易屋根構造物として好適に利用できる。
【符号の説明】
【００２３】
１    支柱
１１  上端部
１２  側面
２    主梁
２１  基端部
２２  側壁
２３  先端部
２４  中央部
３    母屋
３１  正面部
３２  背面部
３３  上面部
４    屋根材
４１  正面側端部
４２  突条
４３  屋根材本体
４４  正面側端面
４５  背面側端部
５    正面側カバー材
５１  カバー部
５２  延設部
６    保持具
６１  補強板部
７    縦樋
７１  取付具
８    横樋
８１  導水部
８２  横樋延設部
Ｐ    簡易屋根構造物
【図１】
2011026873.tif 000003
【図２】
2011026873.tif 000004
【図３】
2011026873.tif 000005